(57)【要約】【課題】火災時に、座板が高温にさらされた場合であっても、座板の熱変形を少なく抑えることができる座板構造を提供する。シャッターカーテンと床面との間に避難者が挟まれた場合であっても、避難者が容易に脱出できるような座板構造を提供する。【解決手段】シャッターカーテン下端部に装着される座板部９の構造であって、シャッターカーテン２の少なくとも下側部位はシートからなるスクリーン部８から構成されており、前記座板部９は、開口幅に亘って水平姿勢で延出する鋼製扁平長尺板材９０と、前記スクリーン部８の下端に形成され、前記鋼製扁平長尺板材９０を水平姿勢の状態で内装する袋状部９１と、から構成されている。【選択図】図３
2008111245.tif 000002
【特許請求の範囲】
【請求項１】
シャッターカーテン下端部に装着される座板部の構造であって、
前記シャッターカーテンの少なくとも下側部位はシートからなるスクリーン部から構成されており、
前記座板部は、
開口幅に亘って水平姿勢で延出する鋼製扁平長尺板材と、
前記スクリーン部の下端に形成され、前記鋼製扁平長尺板材を水平姿勢の状態で内装する袋状部と、
から構成されている、防火・防煙用シャッターの座板構造。
【請求項２】
前記袋状部は、二つの傾斜部と底部とから略二等辺三角形の断面を有しており、当該底部上に前記鋼製扁平長尺板材が設けてあり、前記鋼製扁平長尺板材の上方空間は中空空間である、請求項１に記載の座板構造。
【請求項３】
前記座板部は、さらに、底部と対向状の立ち上がり部とからなり、開口幅に亘って延出する底板を有しており、
前記底板は、前記鋼製扁平長尺板材を内装した袋状部の下方部位を収容しており、
前記立ち上がり部には水平方向に延出する螺子が開口幅方向に間隔を存して複数貫設されており、前記螺子の先端は、前記鋼製扁平長尺板材の幅方向端部の上方に近接して当該端部にオーバーラップしている、
請求項２に記載の座板構造。
【発明の詳細な説明】
【技術分野】
【０００１】
本発明は、防火・防煙用シャッターのシャッターカーテン下端の座板構造に関するものである。
【背景技術】
【０００２】
防火・防煙用のシャッター装置としては、シャッターカーテンの全部あるいは一部をシート体から構成し、シャッターカーテンの下端に金属製の座板を装着したものがある。シャッターカーテンの下端に装着される座板は、一般に、開口部全幅に亘って延出する長尺状の座板本体部と、座板本体部から一体的に立ち上がり状に形成された長尺状の連結部と、から概ね断面視逆Ｔ形状に一体形成されている。座板は、長尺状の連結部を介してシャッターカーテン下端に連結され、開口部全閉時には座板本体部が着床する。
【０００３】
火災時に防火・防煙用シャッター装置のシャッターカーテンが降下して建築物内に防火区域を形成した場合には、シャッターカーテンはかなりの高温に曝されることになる。この時、全閉状態となっているシャッターカーテン下端の座板においては、立ち上がり状の連結部が高温に熱せられるのに対して、座板本体部は着床していることから連結部の温度に比べて比較的低温が維持される。したがって、一本の座板において、部分的に温度差が生じ、温度差によって座板の部分において熱変形量に差異が生じて、座板全体として、反り返ったり、捩れたりするおそれがある。座板が、反り返ったり、捩れたりしてしまうと、開口部全閉状態において、座板下面と床面との間に隙間が形成されてしまい、防火・防煙用のシャッター装置としての機能を十分に発揮できなくなるおそれがある。
【０００４】
また、本出願人は、シャッターカーテン上側部位を占める金属製スラットと、シャッターカーテン下側部位を占める耐火シートと、から構成されたシャッターカーテンを備えた防火シャッターを提案している（特許文献１）。このものは、シャッターカーテンの下側部位をシートから構成することで、降下するシャッターカーテンと床面との間に避難者が挟まれた場合であっても、自力で脱出することができるようにしたものである。しかしながら、耐火シート下端に装着された鋼製座板部の重量が重いと、避難者が挟まれた場合に、圧迫荷重により脱出し難い場合があり、より一層の改良が望まれていた。鋼製の重量防火シャッターの挟まれ防止装置として用いられている検知装置を設けることも検討できるが、検知装置には、検知部、検知信号を伝達するコード、バッテリ電源、その他の電装機器を必要とするため、コスト高になり、また、バッテリ電源のメンテナンスが必要となる。
【特許文献１】特許第３６７７６１５号
【発明の開示】
【発明が解決しようとする課題】
【０００５】
本発明は、火災時に、座板が高温にさらされた場合であっても、座板の熱変形を少なく抑えることができる座板構造を提供することを目的とする。
【０００６】
本発明の他の目的は、シャッターカーテンと床面との間に避難者が挟まれた場合であっても、避難者に対する荷重を小さくし、かつ座板が撓み易くすることで、避難者が容易に脱出できるような座板構造を提供することにある。
【課題を解決するための手段】
【０００７】
かかる課題を達成するために本発明が採用した技術手段は、シャッターカーテン下端部に装着される座板部の構造であって、前記シャッターカーテンの少なくとも下側部位はシートからなるスクリーン部から構成されており、前記座板部は、開口幅に亘って水平姿勢で延出する鋼製扁平長尺板材と、前記スクリーン部の下端に形成され、前記鋼製扁平長尺板材を水平姿勢の状態で内装する袋状部と、から構成されている、防火・防煙用シャッターの座板構造、である。
【０００８】
一つの態様では、前記袋状部は、二つの傾斜部と底部とから略二等辺三角形の断面を有しており、当該底部上に前記鋼製扁平長尺板材が設けてあり、前記鋼製扁平長尺板材の上方空間は中空空間である。
【０００９】
一つの態様では、前記座板部は、さらに、底部と対向状の立ち上がり部とからなり、開口幅に亘って延出する底板を有しており、前記底板は、前記鋼製扁平長尺板材を内装した袋状部の下方部位を収容しており、前記立ち上がり部には水平方向に延出する螺子が開口幅方向に間隔を存して複数貫設されており、前記螺子の先端は、前記鋼製扁平長尺板材の幅方向端部の上方に近接して当該端部にオーバーラップすることで、鋼製扁平長尺板材の水平姿勢を保持している。好ましい態様では、螺子は対向状の立ち上がり部に対して、螺子の先端が対向するように貫設されており、二つの傾斜部位の下方部位を両側から押圧している。さらに、一つの態様では、立ち上がり部には、開口幅方向に間隔を存した複数個所に上方に延びる延出片が形成されており、前記螺子は、立ち上がり部の延出片を貫設している。後述する実施形態では、押さえ部材を介して螺子が設けてあるが、押さえ部材は螺子を隠蔽すると共に、底板が薄肉板から形成されている場合に、螺子の噛合を助ける機能を有する。
【発明の効果】
【００１０】
請求項１、請求項２に記載した発明の座板は、開口幅に亘って水平姿勢で延出する鋼製扁平長尺板材から構成されているので、さらに請求項２においては、前記鋼製扁平長尺板材の上方空間はシート（耐火シート）により形成された中空空間であるので、火災時に、座板が高温にさらされた場合であっても、袋状部内部の空間の温度上昇が抑えられ、座板に上下部分間の温度差が生じ難く、座板の熱変形を少なく抑えることができると共に、シャッターカーテンと床面との間に避難者が挟まれた場合であっても、シャッターカーテン下方部位がスクリーン部から構成されていると共に、扁平な長尺板材からなる座板が比較的軽量であり（扁平である上に、従来の座板の立ち上がり部を有しない）、かつ、座板が撓みやすく（座板が撓んで座板の長さ方向端部が床面に当接した状態では、床面が荷重の一部を負担する）、避難者が容易に脱出できる。
【００１１】
請求項２においては、二つの傾斜部と底部とから略二等辺三角形の断面を有する袋状部を採用することで、鋼製扁平長尺板材及び袋状部を水平姿勢で安定して保持することができる。従来の鋼製座板は、水平部と立ち上がり部から逆Ｔ形状を有しており、鋼製の立ち上がり部によって水平部の姿勢が保持されていたが、立ち上がり部に相当する部材のない本発明の鋼製扁平長尺板材は、二つの傾斜部と底部とから略二等辺三角形の断面を有する袋状部により水平姿勢が良好に保持される。請求項３に記載の構成では、前記鋼製扁平長尺板材が奏する効果を損なうことなく、底板が開口部全開時における座板部下面の意匠性を向上させると共に、袋状部内に鋼製扁平長尺板材を水平姿勢で安定して保持することができる。
【発明を実施するための最良の形態】
【００１２】
図１は、本発明に係る防火シャッターの全体正面図である。防火シャッターは、建物開口部左右に立設した一対のガイドレール１と、建物開口部を開閉するシャッターカーテン２と、建物開口部の上方に設けられたシャッターケース３と、シャッターケースの左右に設けられた軸受部４と、軸受部４間に回転可能に軸支された巻取シャフト５と、巻取シャフト５を回転駆動する開閉機６と、を備えている。シャッターカーテン２の上端は巻取シャフト５に連結されており、巻取シャフト５の回転に伴ってシャッターカーテン２がガイドレール１に案内されながら昇降して建物開口部を開閉する。
【００１３】
図１、図２に示すように、シャッターカーテン２は、上側のスラット部７と、下側のスクリーン部８と、スクリーン部８の下端の座板部９と、からなる。スラット部７は、複数枚の鋼製スラット７０を上下に連設して（図２の例では、インターロック結合）して構成されている。スラット部７の再下位のスラットは連結用スラット７１を構成している。連結用スラット７１は、垂直方向に延出する平板状の本体７１ａを有しており、本体７１ａの上端にはインターロック部が一体形成されており、本体７１ａの下端はインターロック部を設けないで折り返して端部処理されている。
【００１４】
スクリーン部８は耐火性のシートからなる本体８０と、本体８０の上端を袋状に形成して当該袋状部に内装された連結プレート８１と、本体８０の幅方向両端部に設けられた抜け止め８２と、を有している。この抜け止め８２は必須部材ではなく、後述する実施形態では、図８A,８Bに示すものでは抜け止め８２を備えているが、図６A,6B、図７A,7B、図９A,9Bに示すものでは抜け止めは設けられていない。スラット部７とスクリーン部８とは、スラット部７の連結用スラット７１の本体７１ａの面部に、スクリーン部８の連結プレート８１の面部を重ね合わせて、両者を図示しない螺子で止着することで一体化されている。スクリーン部８の本体８０の下端には座板部９が設けられている。
【００１５】
座板部９の構成について詳述する。座板部９は、鋼製の扁平長尺板材９０と、水平姿勢の鋼製扁平長尺板材９０を内装する袋状部９１と、袋状部９１に内装された鋼製扁平長尺板材９０を収容する底板９２と、複数の押さえ部材９３と、長さ方向両端部の板状の立ち上がり部９４と、からなる。
【００１６】
座板部９において、鋼製扁平長尺板材９０、袋状部９１、底板９２の長さ寸法は、シャッターカーテン２の幅寸法よりも短い寸法となっており、座板部９の長さ方向両端部は立ち上がり部９４から構成されている。袋状部９１の長さ方向端部は、傾斜部９１a、９１ｂを密着させて立ち上がり部９４に連結されている（図６B(D),図７B(D)参照）。シャッターカーテン２は、開口幅よりも若干大きい幅寸法を有しており、その幅方向両端部は、ガイドレール１内に呑み込まれているが、シャッターカーテン２の下端の座板部９においては、長さ方向端部の立ち上がり部９４がガイドレール１内に呑み込まれている（図５参照）。
【００１７】
鋼製扁平長尺板材９０は、その長さ方向が開口幅方向に延出する薄肉で扁平状の板材であり、水平姿勢で袋状部９１に収納されている。図示の例では、鋼製扁平長尺板材９０の厚さDは４．５ｍｍであり、幅方向の幅寸法（長さ方向に直交する方向の寸法）は３２ｍｍである。火災時に鋼製扁平長尺板材９０の熱変形を少なくする観点、座板部９の下面に人が当たった場合の脱出を容易にする観点からは、厚さDは小さい方が望ましく、鋼製扁平長尺板材９０の厚さDは１０ｍｍ以下である。
【００１８】
袋状部９１は鋼製扁平長尺板材９０を収納した状態で、傾斜部９１a、９１bと、底部９１ｃと、から概ね二等辺三角形の断面に形成されており、水平状の底部９１ｃ上に水平姿勢の鋼製扁平長尺板材９０の下面が接触した状態となっている。袋状部９１は、スクリーン部８の本体８０の下方部位を袋状に折り返して、傾斜部９１a、９１b、底部９１ｃを形成すると共に、重なり部９１ｄを縫着等することで構成されている。鋼製扁平長尺板材９０の上面の上方の空間はいかなる部材も存在していない中空空間Sである。
【００１９】
底板９２は開口幅方向に延出する長尺材であり、底部９２ａと、対向状の立ち上がり部９２ｂ，９２ｃと、から断面視略コ字形状を有しており、鋼製扁平長尺板材９０を内装した袋状部９１の下方部位を収容している。底部９２ａ、対向状の立ち上がり部９２ｂ，９２ｃは、開口幅方向に亘って延出している。底板９２を設けることで、シャッターカーテン２の収納時における座板部９の下面の意匠性を向上させている。また、立ち上がり部９２ｂ、９２ｃを設けることで、火災時に、水平状の底部９２aの上面と鋼製扁平長尺板材９０を収容した袋状部９１の底部９１ｃの下面との間に防火上不利な貫通孔が形成されることを防止している。火災時に底板９２の熱変形を少なくする観点、座板部９の下面に人が当たった場合の脱出を容易にする観点からは、立ち上がり部９２ｂ、９２ｃの高さは小さい方が望ましく、立ち上がり部９２ｂ、９２ｃの上端は、鋼製扁平長尺板材９０の上面よりも少し上方に延出した高さを備えている。底板９２の立ち上がり部９２ｂ、９２ｃには、押さえ部材９３が設けられる部位に対応して上方に延出する延出片９２ｄが形成されている。座板９２の立ち上がり部９２ｂ、９２ｃに部分的に上方に延出する延出片９２ｄを形成することで、立ち上がり部９２ｂ、９２ｃの高さを長さ方向に全体に亘って低く保つことができる。また、底板９２は肉薄であると共に立ち上がり部９２ｂ、９２ｃを有していることから鋼製扁平長尺板材９０に比べて熱変形し易いが、底板９２の底部９２aの上面には鋼製扁平長尺板材９０が載っているので、鋼製扁平長尺板材９０の重さによって底板９２の熱変形が抑えられる。
【００２０】
押さえ部材９３は、水平状に延出する横部９３ａと、横部９３ａから下方に延出する垂直状の縦部９３ｂと、から断面視略L形状を有する短尺片である。押さえ部材９３は、座板部９の長さ方向（開口幅方向）に間隔を存して複数設けられる。底部９２の幅寸法は、鋼製扁平長尺板材９０を収納した袋状部９１の底部９１ｃの幅寸法よりも大きい寸法を有しており、立ち上がり部９２ｂ、９２ｃと袋状部９１との間の隙間に押さえ部材９３の縦部９３ｂが挿入可能となっている。底板９２の立ち上がり部９２ｂ、９２ｃに形成された延出片９２ｄと縦部９３ｂとを螺子９３Ａで止着するようになっている。螺子９３Aの先端は、鋼製扁平長尺板材９０の幅方向端部の上方に近接して当該端部にオーバーラップしており、鋼製扁平長尺板材９０の水平姿勢が保持されている。螺子９３Aの先端は傾斜部９１a、９１ｂを貫通していてもよい。押さえ部材９３は、短尺片であり、開口幅方向に間隔を存して設けてあるので、押さえ部材９３が座板部９の撓み易さに与える影響は少ない。
【００２１】
シャッターカーテン２の幅方向端部を受け入れて案内する溝部は、上側の幅広の溝部１Aと、下側の幅狭の溝部１Bと、からなる。溝部１Aは、スラット部７の端部の厚さよりも大きい幅寸法を有しており、スラット部７の端部を受け入れ可能である。溝部１Bは、スクリーン部８の端部の厚さよりも大きい寸法を有しており、スクリーン部８の端部を受け入れ可能であるが、スラット部７の端部の厚さよりも小さい幅寸法を有している。シャッターカーテン２が建物開口部を全閉した状態において、スラット部７が、幅広の溝部１Aがスラット部７に対応しており、幅狭の溝部１Bがスクリーン部８に対応している。すなわち、スラット部７の幅方向両端部が幅広の溝部１Aに受け入れられており、スクリーン部８の幅方向両端部が幅狭の溝部１Bに受け入れられている。幅広の溝部１Aと幅狭の溝部１Bとは一部材から一体形成することもできるが、好ましい態様では、幅狭の溝部１Bは、ガイドレール１の下方部位に別部材からなる溝幅を調整する調整部材を装着して幅広の溝部１Aを狭めることで形成することができる。
【００２２】
ガイドレール１は、底部１ａと、側部１ｂ，１ｂと、前部１ｃ，１ｃとを備えており、側部１ｂ，１ｂ間に溝部１Aが形成されている。ガイドレール１の下方部位には、ガイドレール１の溝幅を狭めるための調整部材として、スクリーン部８に対応するように一対のカバー体１０が設けてある。各カバー体１０は、側部１０ｂと前部１０ｃとから断面視L形状を有しており、側部１０ｂの上端の前面側には傾斜部１０ａが形成されている。カバー体１０は、側部１０ｂをガイドレール１の側部１ｂに近接対向させて、前部１０ｃをガイドレール１の前部１ｃに密着させて螺子で固定することで、ガイドレール１に設けられる。一対のカバー体１０の対向状の側部１０ｂ、１０ｂ間に溝部１Bが形成される。一対のカバー体１０の対向状の傾斜部１０ａ，１０ａは、上方に向かって溝部１A内に拡開状に延出するガイド部を形成している。ガイド部は、開口部全閉状態において、シャッターカーテン２のスクリーン部８の上端近傍に位置している。より具体的には、図示の例では、ガイド部の下端の高さ位置は、開口部全閉状態において、シャッターカーテン２のスクリーン部８の上端の高さ位置にあり、ガイド部の上端の高さ位置は、開口部全閉状態において、シャッターカーテン２のスラット部７の下端の高さ位置にある。そして、ガイド部の上側に幅広の溝部１Aが形成され、ガイド部の下側の全部あるいは一部に幅狭の溝部１Bが形成されている。
【００２３】
シャッターカーテン１が降下すると、スクリーン部８の端部が、上向き拡開状のガイド部を構成する対向状の傾斜部１０ａ，１０ａによって円滑に溝部１B内に案内されていく。シャッターカーテン１が降下していき、スラット部７の下端が傾斜部１０ａ，１０ａに当接する前に、ガイドレール１に設けた被当接部１１に対して、シャッターカーテン１に設けた当接部１２が当接することで、スラット部７の降下が規制される。以下に被当接部１１、当接部１２の幾つかの実施形態について説明する。
【００２４】
図６Ａ，６Ｂ、図７Ａ，７Ｂは、ガイドレール１の側部１ｂに近接して被当接部１１を設けたものである。図６Ａ，６Ｂ、図７Ａ，７Ｂにおいて、一対のカバー体１０の側部１０ｂは、ガイドレール１の底部１aに近接するまで延出している。ガイドレール１の側部１０ｂの内側には板状の当接部材１１０が設けてあり、当接部材１１０の上面と側部１０ｂの上面とは面一であり、当接部材１１０の上面と側部１０ｂの先端部位の上面とで被当接部１１が形成されている。連結プレート８１の長さ方向端部には、連結プレート８１の長さ方向に直交する方向に延出する当接部１２が設けてある。当接部１２は、最下位のスラット７１aの下端よりも下方に延びており、当接部１２の当接面は、最下位のスラット７１aの下端よりも下方の高さ位置にある。降下するシャッターカーテン１のスラット部７の下端が傾斜部１０ａ，１０ａに接近するまで降下した時に、連結プレート８１の端部の当接部１２が、ガイドレール１の側部１ｂに位置して設けた被当接部１１に当接して、スラット部７の下端が傾斜部１０ａ，１０ａに当接する前にスラット部７の降下が規制される。尚、図６Ａ，６Ｂ、図７Ａ，７Ｂとは、カバー体１１の構成において異なる。具体的には、図７Ａ，７Ｂのカバー体１０の高さ寸法は図６Ａ，６Ｂのカバー体１０の高さ寸法よりも小さく、傾斜部１０ａ，１０ａさらに、図７Ａ，７Ｂのカバー体１０には下端部にも対向状の傾斜部からなる下向き拡開状のガイド部が形成されている。すなわち、傾斜部１０ａ，１０ａから形成されるガイド部の下側のガイド溝の一部（下側のガイド溝の上方部位のみ）が幅狭の溝部１Bとなっている。図７Ａ，７Ｂに示す短尺のカバー体１０は、ガイドレール１の溝幅１Aが比較的狭い場合（具体的には、溝幅１Aでスクリーン部８の気密を十分に確保できるような場合）に用いられ、カバー体１０は、積極的に溝部１Bを形成するためではなく、カバー体１０によって傾斜部１０ａ，１０ａからなるガイド部及び被当接部１１を形成するために設けられる。
【００２５】
図８Ａ，８Ｂは、ガイドレール１の底部１aに近接して当接部１２を設けたものである。ガイドレール１の底部１aに位置して、ガイドレール１の高さ方向下方部位に位置して高さ方向に延出する当接部材１１０が設けてあり、当接部材１１０の上面が被当接部１１を形成している。連結プレート８１の長さ方向端部には下方に延出する当接部１２が設けてある。降下するシャッターカーテン１のスラット部７の下端が傾斜部１０ａ，１０ａに接近するまで降下した時に、連結プレート８１の端部の当接部１２が、ガイドレール１の底部１aに位置して設けた被当接部１１に当接して、スラット部７の下端が傾斜部１０ａ，１０ａに当接する前にスラット部７の降下が規制される。
【００２６】
図９Ａ，９Ｂは、ガイドレール１の前部１ｃに位置して当接部１２を設けたものである。ガイドレール１の前部１ｃには当接部材１１０が設けてあり、当接部材１１０の上面が被当接部１１を構成している。連結プレート８１の長さ方向端部から所定寸法だけ離間した部位には連結プレート８１の長さ方向に直交する方向に延出する当接部１２が設けてある。降下するシャッターカーテン１のスラット部７の下端が傾斜部１０ａ，１０ａに接近するまで降下した時に、連結プレート８１の当接部１２が、ガイドレール１の前部１ｃに位置して設けた被当接部１１に当接して、スラット部７の下端が傾斜部１０ａ，１０ａに当接する前にスラット部７の降下が規制される。
【００２７】
さらに、図１０乃至図１２に、溝部１Bの構成、および、被当接部１１の構成の幾つかのバリエーションを例示する。図１０、図１１は、ガイドレール１の底部１aに位置して被当接部１１を設けたものである。図１２は、ガイドレール１の側部１ｂに位置して被当接部１１を設けたものである。溝部１Bは、調整部材（カバー体）１０によって形成される場合（図１０（A）（B）（C）（D）(E)、図１１（B）（C）、図１２（A））、調整部材１０Aによって形成される場合（図１１（A））、ガイドレール１の下方部位に一体的に形成される場合（図１１（D）、図１２（B）（C））がある。被当接部１１は、カバー体１０の部分から構成される場合（図１０（B）(E)、図１１（A）（B））と、独立した別部材から構成される場合（図１０（A）（C）（D）、図１１（C）（D）、図１２（A）（B）(C)）がある。
【産業上の利用可能性】
【００２８】
本発明は、防火・防煙用シャッターの座板構造に利用することが可能である。
【図面の簡単な説明】
【００２９】
【図１】シャッター装置の全体正面図である。
【図２】シャッターカーテンの側面図及び正面図である。
【図３】図２の側面図において、座板部を拡大して示す図である。
【図４】座板部の部分平面図及び部分正面図である。
【図５】座板部の端部とガイドレールの下端部との取り合いを示す部分正面図である。
【図６Ａ】ガイドレールの下方部位の第１実施例を示す部分側面図及び部分正面図である。
【図６Ｂ】（A）図６Aの部分正面図のA-A’断面図；（B）図６Aの部分正面図のB-B’断面図及びカバー体の部分図；（C）図６Aの部分正面図のD-D’断面図；（D）座板部の端部を示す平面図；である。
【図７Ａ】ガイドレールの下方部位の第２実施例を示す部分側面図及び部分正面図である。
【図７Ｂ】（A）図７Aの部分正面図のA-A’断面図；（B）図７Aの部分正面図のB-B’断面図及びカバー体の部分図；（C）図７Aの部分正面図のD-D’断面図；（D）座板部の端部を示す平面図；である。
【図８Ａ】ガイドレールの下方部位の第３実施例を示す部分側面図及び部分正面図である。
【図８Ｂ】（A）図８Aの部分正面図のA-A’断面図；（B）図８Aの部分正面図のB-B’断面図及びカバー体の部分図；（C）図８Aの部分正面図のC-C’断面図；（D）図８Aの部分正面図のD-D’断面図；である。
【図９Ａ】ガイドレールの下方部位の第４実施例を示す部分側面図及び部分正面図である。
【図９Ｂ】（A）図９Aの部分正面図のA-A’断面図；（B）図９Aの部分正面図のB-B’断面図及びカバー体の部分図；（C）図９Aの部分正面図のD-D’断面図；である。
【図１０】幅狭の溝部を形成する調整部材、および、被当接部の幾つかのバリエーションを示す図である。
【図１１】幅狭の溝部を形成する調整部材、および、被当接部の幾つかのバリエーションを示す図である。
【図１２】幅狭の溝部を形成する調整部材、および、被当接部の幾つかのバリエーションを示す図である。
【符号の説明】
【００３０】
２    シャッターカーテン
８    スクリーン部
９    座板部
９０  鋼製扁平長尺板材
９１  袋状部
９２  底板
９３  押さえ部材
【図１】
2008111245.tif 000003
【図２】
2008111245.tif 000004
【図３】
2008111245.tif 000005
【図４】
2008111245.tif 000006
【図５】
2008111245.tif 000007
【図６Ａ】
2008111245.tif 000008
【図６Ｂ】
2008111245.tif 000009
【図７Ａ】
2008111245.tif 000010
【図７Ｂ】
2008111245.tif 000011
【図８Ａ】
2008111245.tif 000012
【図８Ｂ】
2008111245.tif 000013
【図９Ａ】
2008111245.tif 000014
【図９Ｂ】
2008111245.tif 000015
【図１０】
2008111245.tif 000016
【図１１】
2008111245.tif 000017
【図１２】
2008111245.tif 000018
【手続補正書】
【提出日】平成20年2月28日(2008.2.28)
【手続補正１】
【補正対象書類名】特許請求の範囲
【補正対象項目名】請求項１
【補正方法】変更
【補正の内容】
【請求項１】
シャッターカーテン下端部に装着される座板部の構造であって、前記シャッターカーテンの少なくとも下側部位はシートからなるスクリーン部から構成されており、前記座板部は、開口幅に亘って水平姿勢で延出する鋼製扁平長尺板材と、前記スクリーン部の下端に形成され、前記鋼製扁平長尺板材をその幅寸法に対して高さ方向の厚さが小となるよう水平姿勢の状態で内装する袋状部と、から構成されている、防火・防煙シャッターの座板構造。
【手続補正２】
【補正対象書類名】明細書
【補正対象項目名】０００７
【補正方法】変更
【補正の内容】
【０００７】
かかる課題を達成するために本発明が採用した技術手段は、シャッターカーテン下端部に装着される座板部の構造であって、前記シャッターカーテンの少なくとも下側部位はシートからなるスクリーン部から構成されており、前記座板部は、開口幅に亘って水平姿勢で延出する鋼製扁平長尺板材と、前記スクリーン部の下端に形成され、前記鋼製扁平長尺板材をその幅寸法に対して高さ方向の厚さが小となるよう水平姿勢の状態で内装する袋状部と、から構成されている、防火・防煙シャッターの座板構造、である。